(57)【要約】      （修正有）【課題】任意の場所、例えば肩や胸元、手首などに取り付けることによって、両手が自由に使え、頭を動かしても照明場所が変わることなく、また、鋼製の家具や扉等に一時固着しても使用できる簡便な構造の携帯小型照明器具を提供する。【解決手段】電池が内蔵された本体部１と、本体部１の一端に設けられた発光体１ａと、本体部１を支持する支持部材２とからなる携帯小型照明器具１０であって、支持部材２に磁石４を内蔵してなり、かつ、支持部材２が、左右側面の中央付近に安定化基盤部２ａを備え、本体部１が角度調整部材３を介して照明方向を調整自在に支持部材２に取着され、磁石４が吸着しないものにも固着できるよう大きめのマグネットシート６を付属品として備えてなる。【選択図】図１
0003219298.tif 000002
【実用新案登録請求の範囲】
【請求項１】
電池が内蔵された本体部（１）と、前記本体部（１）の一端に設けられた発光体と、前記本体部（１）を支持する支持部材（２）とからなる携帯小型照明器具（１０）であって、
前記支持部材（２）に磁石（４）を内蔵してなり、
かつ、前記支持部材（２）が、左右側面の中央付近に安定化基盤部（２ａ）を備えてなることを特徴とする携帯小型照明器具。
【請求項２】
請求項１に記載の携帯小型照明器具であって、
本体部（１）が、角度調整部材（３）を介してその照明方向角度を調整自在に前記支持部材（２）に取り付けられてなることを特徴とする携帯小型照明器具。
【請求項３】
請求項１又は２に記載の携帯小型照明器具であって、
支持部材（２）に内蔵された磁石（４）の吸着力によって一時固定された器具を剥離するための剥離部材（５）を前記支持部材（２）の先端部に備えてなることを特徴とする携帯小型照明器具。
【請求項４】
請求項１〜３のいずれか１に記載の携帯小型照明器具であって、
前記支持部材に内蔵された磁石（４）の吸着力が作用しないものにも取り付けて活用できるよう支持部材（２）の底面形状より大きめのマグネットシート（６）を付属品として備えてなることを特徴とする携帯小型照明器具。
【請求項５】
請求項１〜４のいずれか１に記載の携帯小型照明器具であって、
本体部（１）が防水処理されてなることを特徴とする携帯小型照明器具。
【考案の詳細な説明】
【技術分野】
【０００１】
夜間の外出時や停電時、あるいは暗所で誰でも安全に使うことができる携帯小型照明器具に関する。
【背景技術】
【０００２】
従来から夜間外出時や停電時、あるいは暗所での作業時には懐中電灯やヘッドランプが広く使用されてきている。しかし、懐中電灯にあっては使用時に片手が塞がり、片手での作業は容易でなく、空いた手に品物を持っての歩行には危険が伴ったりする問題がある。また暗所での作業で両手を使用しようとし懐中電灯を作業台上に載置しても、不安定であったり、光が照射対象物に適切に照射されなかったりする問題もある。
前記懐中電灯の片手が塞がるという問題は、把持部（ハンドル）を有するものにあっては該把持部に紐を付けて掛けるということで容易に解決できるが、手を離した際の安定性、照射方向の調整はこの方法では完全には解消できない。
これに対して特許文献１には、
「放熱カバー２４と、本体１と、本体１の一端に設けられた照明部空間と、本体の内部空間内の電源回路及び電池と、本体１の照明部空間内に配置されると共に前記電源回路に接続され、電球２８が交換可能に取り付けられるランプホルダーを備えた照明部と、本体１との折り畳み角度を移動可能に調整する長脚部１２及び前記長脚部１２の折り畳み角度を移動可能に調整する短脚部２３は本体１を平面上で支え、かつ最適な照射角度に調整することができる」携帯型照明装置が開示されている。この携帯型照明装置は、携帯に軽便で強力な光源を備え、警察、消防、緊急救助、建築などの場で用いられ、家庭での緊急救助用としても利用可能であるとされる。
これによれば、平時に手に持って使用する懐中電灯とは用途、光源の出力規模とを異にするが、安定に載置して使用することができる。
【０００３】
一方、頭部にベルト等により装着して使用するヘッドランプにあっては、両手が自由に使えるとはいえ、手元を照らすためには首を深く曲げねばならず、また、作業中に首を動かすと照明位置が変わってしまい見づらく、作業に支障が出るという問題がある。
これに対して特許文献２には、
「電池などの電源と光源の電球を収納する本体と、反射鏡やレンズを備えた前ベースと、本体と接続され額へ装着させるためのヘッド受けと、ヘッド受けに設けた穴に通されたバンドとで構成され、本体がヘッド受けに対して上下方向に任意の角度に調整できる携帯電灯の前記ヘッド受けをＵ字形状にし、このバネ性を利用しクリップの作用を持たせ、さらにこのヘッド受けと本体との間にライト部が上下に首を振る構造を備えた中板を設け、この中板をヘッド受けを軸に３６０°回動自在とし、使用時半球域内をどの方向でも照らすことが可能な携帯電灯」が開示されている。
この携帯電灯は、通常ヘッドランプのヘッド受けとして用いる部品をクリップとして使用し、衣類のポケットや帽子のツバなどに挟んで使用することもできるという効果もある。
しかし、前記携帯電灯は、本体と中板との嵌合部における構造が複雑で、製造コストが高くなる懸念がある。
【先行技術文献】
【特許文献】
【０００４】
【特許文献１】実用新案登録第３１１６５４０号公報
【特許文献２】実用新案登録第３０６０８８２号公報
【考案の概要】
【考案が解決しようとする課題】
【０００５】
本考案は、上記背景技術の問題点に鑑みてなされたもので、任意の場所、例えば肩や胸元、手首などに取り付けることによって、両手が自由に使え、頭を動かしても照明場所が変わることなく、また、鋼製の家具や扉等に一時固着しても使用できる簡便な構造の携帯小型照明器具を提供することを課題とする。
【課題を解決するための手段】
【０００６】
本発明者は，上記課題を下記の手段により解決した。
（１）電池が内蔵された本体部と、前記本体部の一端に設けられた発光体と、前記本体部を支持する支持部材とからなる携帯小型照明器具であって、
前記支持部材に磁石を内蔵してなり、かつ、前記支持部材が、左右側面の中央付近に安定化基盤部を備えてなることを特徴とする携帯型照明器具。
（２）前記（１）に記載の携帯小型照明器具であって、
本体部が、発光体からの照明方向角度を調整自在とする角度調整部材を介して前記支持部材に取り付けられてなることを特徴とする携帯小型照明器具。
（３）前記（１）又は（２）に記載の携帯小型照明器具であって、
支持部材に内蔵された磁石の吸着力によって一時固定された器具を剥離するための剥離部材を前記支持部材の先端部に備えてなることを特徴とする携帯小型照明器具。
（４）前記（１）〜（３）のいずれか１に記載の携帯小型照明器具であって、
前記支持部材に内蔵された磁石の吸着力が作用しないものにも取り付けて活用できるよう支持部材の底面形状より大きめのマグネットシートを付属品として備えてなることを特徴とする携帯型照明器具。
（５）前記（１）〜（４）のいずれか１に記載の携帯小型照明器具であって、
本体部が防水処理されてなることを特徴とする携帯小型照明器具。
【考案の効果】
【０００７】
本考案の携帯小型照明器具によって下記の効果が発揮される。
〈１〉電池が内蔵された本体部と、前記本体部の一端に設けられた発光体と、前記本体部を支持する支持部材とからなり、前記支持部材に磁石を内蔵し、かつ、前記支持部材が、左右側面の中央付近に安定化基盤部を備えてなるので、夜間の外出時や、暗所での作業時、停電・災害時に鋼製の家具や扉、所持品の鋼製部等に一時固着して使用できるとともに、固着の際に支持部材の安定化基板部により本体部が揺れて不安定にならず、任意の場所に安定して固着することができる。
〈２〉本考案の携帯小型照明器具は、本体部が、発光体からの照明方向角度を調整自在とする角度調整部材を介して前記支持部材に取り付けられてなるので、随時照明光を照明しようとする対象物に向けて照射でき作業がしやすく、また、照明方向を適宜調整し安全を確認しながら行動できる。
〈３〉さらに本考案の携帯小型照明器具は、支持部材に内蔵された磁石の吸着力によって鋼鉄製家具や扉等に一時固定された器具を剥離するための剥離部材を前記支持部材の先端部に備えているので、鋼製の家具や扉等に一時固着した携帯小型照明器具を容易に剥離でき、力の弱い高齢者や子供でも使いやすい。
また不使用時にこの剥離部材をフックとして所定の場所に掛けておくことができるので紛失が防止でき、停電等の非常時にも探しやすい。
〈４〉そして、本考案の携帯小型照明器具は、前記支持部材に内蔵された磁石の吸着力が作用しないものにも取り付けて活用できるよう支持部材の底面形状より大きめのマグネットシートを付属品として備えてなるので、衣服の下にマグネットシートを配設すれば、肩の上や胸元、手首などに装着でき、またその際にも前記安定化基板部により、本体部が揺れることなく安定に装着できる。
上記構成の本考案の携帯小型照明器具は、照明器具を把持しなくても、安定して照らしたい位置を照らすことができ、頭部を動かしても、照明位置がずれることもないので、平常時においては、例えば杖を必要とする高齢者の夜間の歩行も安全にでき、健常者においても両手が自由に使用できることによる多様な効果が発揮され、また災害時の避難用具としても重宝なものとなっている。
【図面の簡単な説明】
【０００８】
【図１】本考案の携帯小型照明器具の斜視図
【図２】本考案の携帯小型照明器具の平面図
【図３】本考案の携帯小型照明器具の右側面図
【図４】本考案の携帯小型照明器具の正面図
【図５】本考案の携帯小型照明器具の実施例の説明図
【図６】本考案の携帯小型照明器具にかかる安定化基盤部の例の説明図
【図７】本考案の携帯小型照明器具を肩に取り付けた実施例の説明図
【考案を実施するための形態】
【０００９】
本携帯小型照明器具を実施する形態を，実施例の図に基づいて説明する。
図１は携帯小型照明器具の斜視図、図２は本考案の携帯小型照明器具の平面図、図３は本考案の携帯小型照明器具の右側面図、図４は本考案の携帯小型照明器具の正面図、図５は本考案の携帯小型照明器具の実施例の説明図、図６は本考案の携帯小型照明器具にかかる安定化基盤部の例の説明図、図７は本考案の携帯小型照明器具を肩に取り付けた実施例の説明図である。
図において１は携帯小型照明器具の本体部、１ａは発光体、１ｂは電池収容部、１ｃは電源スイッチ、１ｄは支柱、２は支持部材、２ａは安定化基盤部、３は角度調整部材、４は磁石、５は剥離部材、６はマグネットシート、１０は携帯小型照明器具を示す。
【００１０】
本考案の携帯小型照明器具は、図１〜図４に示すように本体部１と、前記本体部１の一端に設けられた発光体１ａと、前記本体部１を支持する支持部材２とからなり、前記支持部材２に磁石４が内蔵され、かつ、前記支持部材２が、左右側面の中央付近に安定化基盤部２ａを備えて構成される。
前記本体部１は、一端に設けられた発光体１ａの電源となる電池を収容する電池収容部１ｂと、発光体１ａの発光をＯＮ、ＯＦＦする電源スイッチ１ｃを備える。
図１に示す本考案の携帯小型照明器具１０においては、本体部１を全体としてボトル形状に形成し、一端となる前方に発光体１ａを配置している。発光体１ａは、投光レンズを備えた円筒形状のライトからなり、その後方の電池収容部１ｂは、電源としての電池を収容する円筒形状からなり、ボトルのキャップに当たる位置に電源スイッチ１ｃを設けて構成されている。発光体１ａと電池収容部１ｂとは着脱可能にして電池交換の要に対応させている。電源スイッチ１ｃは、プッシュ型でも、スイッチ型でも、電源のＯＮ、ＯＦＦが可能な構造であれば任意の方法を採用できる。使いやすさを考慮して、１プッシュで電源がＯＮし、さらに１プッシュで電源がＯＦＦする構造であれば、子供でも簡単に使うことができ好適である。
なお、本実施例においては、本体部１はボトル形状としているが、照明器具の基本的構造である発光体１ａと電池収容部１ｂ及び電源スイッチ１ｃを備えていれば、本体部１は円筒形状であっても、角柱形状であってもよく、形状自体は特に限定されるものではない。
また、電源スイッチ１ｃに投光レンズを内蔵し、前記発光体１ａの照射方向と反対方向（後方に向けて）に照射する構成とすることもできる。この構成の場合、電源スイッチ１ｃに内蔵される投光レンズも、前記発光体１ａと同様に、電池収容部１ｂに収容された電池を電源とし、電源スイッチ１ｃのＯＮ、ＯＦＦに対応する構成とする。これにより、電源スイッチ１ｃにより電源をＯＮにすると、前方の発光体１ａと、電源スイッチ１ｃに内蔵された投光レンズが同時に発光し、前方と後方の両方に向けて照射することになる。
したがって、暗所での作業時など前方のみ照明する用途の場合には、図５（ａ）に示すように、発光体１ａから前方αに向けて照明を照らし、犬の散歩など夜間の外出時には、図５（ｂ）に示すように進行方向の前方αと合わせて、後方から目立つように後方βに向けても照明を照らすことにより安全性をより高めることができる。
【００１１】
また、本考案の携帯小型照明器具の本体部１は、発光体１ａからの照明方向角度を調整自在とする角度調整部材３を介して前記本体部１を支持する支持部材２の上面に取付けられ一体的構造となっている。
図１において角度調整部材３として、ボールジョイントを使っているが、任意に照明方向の角度を調整することができる構成であれば特に限定はされない。
前記支持部材２は、上面に角度調整部材３を介して本体部１を支持するほか、中央部の左右に安定化基盤部２ａを有している。前記安定化基盤部２ａを設けることで、携帯小型照明器具を任意の場所に設置した際に、振動や配置箇所が不安定であっても横揺れがしにくく安定して設置できる構造となっている。
安定化基盤部２ａは、例えば図６（ａ）〜（ｅ）に示すように、支持部材２の左右側面の中央付近に膨らみを形成（ａ）し横揺れ等を防止する形状のほか、羽根形状（ｂ）であったり、角形に突出する形状（ｃ）であってもよく、また、安定化基盤部２ａを長めにし、支持部材２と十字を構成した縦揺れと横揺れを防止する形状（ｄ）であってもよい。また、左右側面のそれぞれに２片の突出部（ｅ）を設けて安定化基盤部２ａを構成することもできる。
すなわち、本考案において安定化基盤部２ａは、支持部材２の左右、あるいは前後を補助することで、携帯小型照明器具１０を設置した際に縦揺れや横揺れをしにくくするためのものであり、この効果を発揮できる形状であれば任意の形状で構成することができる。
【００１２】
本考案において、前記支持部材２は、内部の一部に空間が設けられ、その空間に磁石４が配置されてなることを大きな特徴とする。これにより、携帯小型照明器具１０を任意の場所に設置可能となる。例えば、鋼製の家具や扉、自転車のハンドル部、自動車内外、バッグやベルトのバックルなどが挙げられる。
なお、磁石４は、支持部材２に内蔵せずに底板に貼着してもよいが、長期間保管しておいても、磁石４が汚れてしまったり、支持部材２から外れてしまったりすることのないことが重要であることから、支持部材２に内蔵することが好ましい。
また、支持部材２の前端部には磁石４の吸着力によって鋼製の家具や扉等に一次固定された際に、携帯小型照明器具１０を剥離するために使用する剥離部材５が備えられている。前記剥離部材５は、図においてはコの字形状のフックであるが、磁石４の吸着力に対し剥離できる程度の力をかけることができる形状であれば、特に限定されない。
【００１３】
なお、本体部１と支持部材２との接合に使用される角度調整部材３は、例えば図３に示すようにボールジョイントで構成され、支持部材２の上面に設けたソケット３ａと該ソケット３ａに挿入されるボール部３ｂと、該ボール部３ｂから突出された７字状のスタッドでなる支柱１ｄの上部が前記本体部１の電源収容部１ｂの底面に一体的に取り付けられて構成されている。
したがって、前記本体部１は、水平方向には３６０°、垂直方向においても９０°の回動が可能となっている。
【００１４】
さらに本考案における携帯小型照明器具１０においては、前記支持部材２に内蔵された磁石４の吸着力が作用しないもの例えば衣類等にも取り付けて活用できるよう、支持部材２の底面形状より大きめのマグネットシート６を付属品として備えている。
前記マグネットシート６を、支持部材２の底面形状より大きめに形成することで、支持部材２を安定して固定することができる構成となっている。
例えば、肩に本考案にかかる携帯小型照明器具１０を装着する場合には、衣服の中側で、肩の周辺に前記マグネットシート６を配置する。そして、衣服の外側から、マグネットシート６と支持部材２で衣服を挟むようにして、支持部材２をマグネットシート６に固定する。
本考案において、マグネットシート６は、支持部材２の底面形状より大きめに構成されているので、支持部材２を固着する際に、特にマグネットシート６の位置を意識することなく、おおよそマグネットシート６が配置されているあたりに支持部材２を置くだけで、支持部材２の底面全体がしっかりとマグネットシート６に固着するので、高齢者や子供でも容易に固定することができるものとなっている。
また、支持部材２の底面全体がマグネットシート６に固定されるので、傾斜している部分であっても安定して固着されることから、肩や胸元、腕や手首付近など、衣服のある部分であれば任意の箇所に携帯小型照明器具１０を配置することができる。その他、衣服に限らず磁石４の吸着力が、マグネットシート６に作用する程度の厚みのものであれば固定して使用することができる。
なお、マグネットシート６は、支持部材２に内蔵される磁石４に吸着するものであればよく、薄い鋼板であってもよいが、可撓性を有するマグネットシート６であれば、配置部分が平らでなくとも柔軟に形状を合わせて支持部材２に吸着し携帯小型照明器具１０を配置することができる。
【００１５】
本考案にかかる携帯小型照明器具１０は、屋外での使用ができるよう本体部１を防水処理して構成することが好ましい。本体部１を防水処理しておくことで、雨天時の外出や、作業時の汗等を気にすることなく、安心して使用することができるものとなる。
【００１６】
本実施例に示す携帯小型照明器具１０は、発光体１ａとしてＬＥＤ５個、電源にボタン電池４個を使用し、本体部１の全長が５０〜７０ｍｍ程度、直径１０〜２０ｍｍ程度で構成され、支持部材２とその前端部に備えた剥離部材５を加えた全長でも７０〜９０ｍｍ程度と小型で、かつ軽量であり、夜間の外出時や犬の散歩の際に、前記マグネットシート６を用いて図７（ａ）に示すように肩に取り付けて前方を照明したり、あるいは暗所での作業時に、図７（ｂ）に示すように両肩に装着し前方の視野をより広く明るくしたりすることができる構成となっている。図に示すように肩部に装着すると、頭の動きに影響を受けることなく安定し、照明範囲が広く任意の場所を的確に照らすことができ、かつ両手を自由に使うことができる。
また、電源スイッチ１ｃに投光レンズを内蔵した構成にして肩に装着すると、前方だけでなく、後方にも照明を向けることができ、夜間の散歩時など後方に歩行者の存在を示すことができ、交通事故等を未然に防ぐことに繋がる。
その他、電源スイッチ１ｃに投光レンズを内蔵しない構成の場合には、一方の肩には前方に向けて装着し、他方の肩には後方に向けて装着するというような使い方ができ、マグネットシート６を使うことで、簡単に任意の装着位置、照明方向を選択することができるものとなっている。
なお、上記形状寸法及び重量は、本実施例におけるものであって、使用目的に必要な照度を得るために発光体１ａを大きくしたり、ＬＥＤの配設数やボタン電池の増設等に伴う変更を妨げるものではない。
さらに、本体部１や支持部材２に蛍光塗料を塗布することで、夜間や停電時の使用に際し、探しやすくすることができ好適である。
【産業上の利用可能性】
【００１７】
本考案の携帯小型照明器具の構造を大型にし、照度を高め、照明範囲を拡大すれば、工場や鉄橋など鋼製構造体の部分的な補修時に、一時取着して使用する移動設置型照明器具としての活用も期待できる。
【符号の説明】
【００１８】
１：本体部
１ａ：発光体
１ｂ：電池収容部
１ｃ：電源スイッチ
１ｄ：支柱
２：支持部材
２ａ：安定化基盤部
３：角度調整部材
３ａ：ソケット
３ｂ：ボール部
４：磁石
５：剥離部材
６：マグネットシート
１０：携帯小型照明器具
【図１】
0003219298.tif 000003
【図２】
0003219298.tif 000004
【図３】
0003219298.tif 000005
【図４】
0003219298.tif 000006
【図５】
0003219298.tif 000007
【図６】
0003219298.tif 000008
【図７】
0003219298.tif 000009